(57)【要約】【課題】防音部材の一部を取り外すことなく、簡易に配管のろう付部の検査を行うことが可能な室外機を提供すること。【解決手段】室外機であって、冷媒を圧縮する圧縮機（１２）と、圧縮機（１２）に接続された複数の配管（２１，２２）と、板金からなる防音部材（３０）とを備え、複数の配管（２１，２２）は、ろう付されたろう付部（２１ａ，２２ａ）をそれぞれ含み、防音部材（３０）は、複数の配管（２１，２２）のそれぞれとの干渉を避け、かつ、圧縮機（１２）及び各ろう付部（２１ａ，２２ａ）を取り囲む形状を有するとともに、当該防音部材（３０）の外側から各ろう付部（２１ａ，２２ａ）をそれぞれ検査可能な複数の検査孔（３０ｂ）を有すること。【選択図】図１
2014077595.tif 000002
【特許請求の範囲】
【請求項１】
室外機であって、
冷媒を圧縮する圧縮機（１２）と、
前記圧縮機（１２）に接続された複数の配管（２１，２２）と、
板金からなる防音部材（３０）とを備え、
前記複数の配管（２１，２２）は、ろう付されたろう付部（２１ａ，２２ａ）をそれぞれ含み、
前記防音部材（３０）は、前記複数の配管（２１，２２）のそれぞれとの干渉を避け、かつ、前記圧縮機（１２）及び各ろう付部（２１ａ，２２ａ）を取り囲む形状を有するとともに、当該防音部材（３０）の外側から各ろう付部（２１ａ，２２ａ）をそれぞれ検査可能な複数の検査孔（３０ｂ）を有する室外機。
【請求項２】
請求項１に記載の室外機において、
前記複数の検査孔（３０ｂ）は、前記複数の配管（２１，２２）のそれぞれを前記防音部材（３０）の内側から外側に導出するために当該防音部材（３０）に形成された複数の導出孔（３０ａ）と兼用されている室外機。
【請求項３】
請求項２に記載の室外機において、
前記防音部材（３０）は、分割可能な第一部材（３１）と第二部材（３２）とを有し、
前記複数の検査孔（３０ｂ）の少なくとも一つは、前記第一部材（３１）と前記第二部材（３２）との境界に形成されている室外機。
【請求項４】
請求項１ないし３のいずれか１項に記載の室外機において、
前記複数の検査孔（３０ｂ）は、前記ろう付部（２１ａ，２２ａ）を検査するための検査治具が当該検査孔（３０ｂ）から検査対象のろう付部（２１ａ，２２ａ）へ直線状に到達可能となる部位にそれぞれ形成されている室外機。
【請求項５】
請求項４に記載の室外機において、
前記冷媒は、Ｒ３２を５０質量％以上含んでおり、
前記複数の配管（２１，２２）は、前記圧縮機（１２）内に吸入される冷媒がその内部を流れる吸入管（２１）と、前記圧縮機（１２）から吐出された冷媒がその内部を流れる吐出管（２２）と、前記圧縮機（１２）の圧縮機構における吸入部と吐出部との間に冷媒を流入させるためのインジェクション管とを含み、
前記複数の検査孔（３０ｂ）は、前記吸入管のろう付部（２１ａ）を検査するための吸入管検査孔（３０ｂ）と、前記吐出管のろう付部（２２ａ）を検査するための吐出管検査孔（３０ｂ）と、前記インジェクション管のろう付部を検査するインジェクション管検査孔とを含み、
前記吸入管検査孔（３０ｂ）は、前記検査治具が当該吸入管検査孔（３０ｂ）から前記吸入管のろう付部（２１ａ）へ直線状に到達可能となる部位に形成されており、前記吐出管検査孔（３０ｂ）は、前記検査治具が当該吐出管検査孔（３０ｂ）から前記吐出管のろう付部（２２ａ）へ直線状に到達可能となる部位に形成されており、前記インジェクション管検査孔は、前記検査治具が当該インジェクション管検査孔から前記インジェクション管のろう付部へ直線状に到達可能となる部位に形成されている室外機。
【発明の詳細な説明】
【技術分野】
【０００１】
本発明は、圧縮機と当該圧縮機用の防音部材とを備えた室外機に関するものである。
【背景技術】
【０００２】
従来、空気調和機、冷蔵機、冷凍機、ヒートポンプ給湯機等のように冷媒回路を有する冷凍装置が知られている。この冷凍装置における室外機は、冷媒を圧縮する圧縮機を備えているが、この圧縮機からは、当該圧縮機の運転時にその内部のモータ等が振動することによって騒音が発生する。よって、圧縮機の周囲には、前記騒音が室外機外へ漏れるのを防止するための防音部材が取り付けられることが多い。
【０００３】
例えば、特許文献１には、冷媒を圧縮する圧縮機と、この圧縮機に接続される複数の配管と、これらの配管との干渉を避けながら前記圧縮機を取り囲む形状の防音部材とを有する室外機が開示されている。前記防音部材は、分解及び組立が可能な板金からなる分割壁により形成されている。また、一般に、前記複数の配管は、それぞれろう付されたろう付部を有しており、前記防音部材は、前記ろう付部をも取り囲む形状となっている。
【先行技術文献】
【特許文献】
【０００４】
【特許文献１】特開２０１１−０３３３４０号公報
【発明の概要】
【発明が解決しようとする課題】
【０００５】
通常、室外機の製造工程では、当該製造工程の途中で種々の検査が行われ、そして、室外機が完成した状態で最終検査が行われる。この最終検査では、圧縮機の駆動状態や、各配管のろう付部のろう付状態、すなわち、ろう付部からの冷媒漏れの有無等が検査される。この最終検査は、室外機が完成した状態、すなわち、圧縮機の周囲に前記防音部材が取り付けられた後の状態で実施されるため、特許文献１に記載の室外機では、前記防音部材の内側のろう付部を検査するために、防音部材の分割壁の少なくとも一部を取り外す必要があり、このことが、前記ろう付部の検査効率の向上の妨げとなっていた。
【０００６】
この発明は、上記のような課題を解決するためになされたものであり、防音部材の一部を取り外すことなく、簡易に配管のろう付部の検査を行うことが可能な室外機を提供することを目的とする。
【課題を解決するための手段】
【０００７】
前記課題を解決するための手段として、本発明は、室外機であって、冷媒を圧縮する圧縮機と、前記圧縮機に接続された複数の配管と、板金からなる防音部材とを備え、前記複数の配管は、ろう付されたろう付部をそれぞれ含み、前記防音部材は、前記複数の配管のそれぞれとの干渉を避け、かつ、前記圧縮機及び各ろう付部を取り囲む形状を有するとともに、当該防音部材の外側から各ろう付部をそれぞれ検査可能な複数の検査孔を有する室外機を提供する。
【０００８】
この発明の室外機によれば、前記防音部材の一部を取り外すことなく、簡易に配管のろう付部の検査を行うことが可能となる。具体的には、前記防音部材は、当該防音部材の外側から各ろう付部をそれぞれ検査可能な複数の検査孔を有するので、各ろう付部を検査するに当たり、従来のように防音部材の一部を取り外すという工程を省くことができる。これにより、ろう付部の検査効率が向上する。
【０００９】
この場合において、前記複数の検査孔は、前記複数の配管のそれぞれを前記防音部材の内側から外側に導出するために当該防音部材に形成された複数の導出孔と兼用されていることが好ましい。
【００１０】
このようにすれば、各配管を前記防音部材の内側から外側に導出するために必須となる導出孔が前記ろう付部を検査するための検査孔として兼用されるので、前記導出孔に加えて別途検査孔を形成する必要がなくなる。そのため、防音部材の製造が容易になるとともに、前記検査孔からの圧縮機の運転音の漏れを低減させることができる。
【００１１】
さらにこの場合において、前記防音部材は、分割可能な第一部材と第二部材とを有し、前記複数の検査孔の少なくとも一つは、前記第一部材と前記第二部材との境界に形成されていることが好ましい。
【００１２】
このようにすれば、前記圧縮機の周囲に前記防音部材を設置する際、前記第一部材と前記第二部材との境界に形成された検査孔内を通る配管に関しては、前記第一部材と前記第二部材とにより挟み込むだけでよい。したがって、前記防音部材の組付けの際、前記検査孔内を通る配管に関しては、当該配管のうち前記圧縮機と接続されている側とは反対側の端部を前記防音部材の内側から前記検査孔（導出孔）を通して当該防音部材の外側に導出するといった作業を省略することができる。よって、防音部材の組立効率が向上する。
【００１３】
また、本発明において、前記複数の検査孔は、前記ろう付部を検査するための検査治具が当該検査孔から検査対象のろう付部へ直線状に到達可能となる部位にそれぞれ形成されていることが好ましい。
【００１４】
このようにすれば、取り扱いが容易な直線形状の検査治具を用いることができ、さらに、この検査治具を前記検査孔から挿入するだけで前記ろう付部の検査を行うことができるので、検査効率が向上する。
【００１５】
具体的には、前記冷媒は、Ｒ３２を５０質量％以上含んでおり、前記複数の配管は、前記圧縮機内に吸入される冷媒がその内部を流れる吸入管と、前記圧縮機から吐出された冷媒がその内部を流れる吐出管と、前記圧縮機の圧縮機構における吸入部と吐出部との間に冷媒を流入させるためのインジェクション管とを含み、前記複数の検査孔は、前記吸入管のろう付部を検査するための吸入管検査孔と、前記吐出管のろう付部を検査するための吐出管検査孔と、前記インジェクション管のろう付部を検査するインジェクション管検査孔とを含み、前記吸入管検査孔は、前記検査治具が当該吸入管検査孔から前記吸入管のろう付部へ直線状に到達可能となる部位に形成されており、前記吐出管検査孔は、前記検査治具が当該吐出管検査孔から前記吐出管のろう付部へ直線状に到達可能となる部位に形成されており、前記インジェクション管検査孔は、前記検査治具が当該インジェクション管検査孔から前記インジェクション管のろう付部へ直線状に到達可能となる部位に形成されていることが好ましい。
【００１６】
このようにすれば、前記圧縮機からの吐出温度が高くなりやすいＲ３２を５０質量％以上含む冷媒の吐出温度の上昇を緩和させるために当該圧縮機に接続されたインジェクション管を有する室外機においても、吸入管、吐出管及びインジェクション管のそれぞれのろう付部を検査する検査孔から直線形状の検査治具を挿入するだけで、各ろう付部の検査を効率よく行うことができる。
【発明の効果】
【００１７】
以上のように、本発明によれば、防音部材の一部を取り外すことなく、簡易に配管のろう付部の検査を行うことが可能な室外機を提供することができる。
【図面の簡単な説明】
【００１８】
【図１】本発明の第一実施形態の室外機の構造の概略を示す斜視図である。
【図２】図１に示す室外機の要部拡大図である。
【図３】本発明の第二実施形態の室外機の構造の概略を示す斜視図である。
【発明を実施するための形態】
【００１９】
本発明の実施形態の室外機について、図１〜図３を参照しながら説明する。図１及び図３は、室外機のケーシングを取り外した状態を示している。また、各図では、後述の底板フレーム１０上に載置される室外熱交換器の図示は省略されている。
【００２０】
（第一実施形態）
本発明の第一実施形態の室外機について、図１及び図２を参照しながら説明する。
【００２１】
図１に示す室外機は、図示しない室内機とともに、冷房運転と暖房運転とが可能なヒートポンプ式の空気調和装置を構成する。この室外機は、主に、矩形状の底板フレーム１０と、圧縮機１２と、アキュームレータ１３と、四路切換弁１６と、冷媒配管２０と、防音部材３０と、室外熱交換器（図示せず）と、ケーシング（図示せず）とを備えている。
【００２２】
圧縮機１２は、冷媒を吸入する吸入ポート、冷媒を圧縮する圧縮機構及び冷媒を吐出する吐出ポートを有する。前記吸入ポートは、当該圧縮機の上部に形成されており、前記吐出ポートは、当該圧縮機の側部に形成されている。ただし、各ポートの形成位置は、これらの位置に限られない。この圧縮機１２は、吸入ポートから吸入した冷媒を圧縮機構で圧縮し、吐出ポートから吐出する。圧縮機１２としては、例えば、スクロール圧縮機を採用することができる。本実施形態では、底板フレーム１０上に二台の圧縮機１２が設置されている。
【００２３】
アキュームレータ１３は、圧縮機１２に導入される前のガス状の冷媒から液状の冷媒を分離してその内部に貯留する。このアキュームレータ１３は、冷媒回路における圧縮機１２よりも上流側、すなわち低圧側に設けられる。アキュームレータ１３は、例えば、縦長の円筒状の密閉容器により構成される。
【００２４】
四路切換弁１６は、第一ポート〜第四ポートの四つのポートを有する。四路切換弁１６は、第一ポートと第三ポートとを連通すると同時に第二ポートと第四ポートとを連通する第一態様と、第一ポートと第四ポートとを連通すると同時に第二ポートと第三ポートとを連通する第二態様との間を切り換えることにより、冷房運転と暖房運転の冷媒系統の冷媒回路を切り換える。
【００２５】
冷媒配管２０の内部は、冷媒回路を循環する冷媒が流れる。この冷媒配管２０は、圧縮機１２の吸入ポートにろう付けされる吸入管２１と、圧縮機１２の吐出ポートにろう付けされる吐出管２２とを含む。すなわち、吸入管２１は、前記吸入ポートとろう付けされるろう付部２１ａを有し、吐出管２２は、前記吐出ポートとろう付けされるろう付部２２ａを有する。
【００２６】
本実施形態では、冷媒回路を循環する冷媒として、Ｒ３２の単体、あるいは、Ｒ３２を主成分とする混合冷媒が用いられている。ここで、「Ｒ３２を主成分とする混合冷媒」とは、Ｒ３２を５０質量％以上含む混合冷媒を意味する。
【００２７】
防音部材３０は、圧縮機１２から発生する騒音が室外機外へ漏れるのを防止する。図１及び図２に示すように、防音部材３０は、圧縮機１２、吸入管２１のろう付部２１ａ及び吐出管２２のろう付部２２ａを取り囲む形状を有する。この防音部材３０は、板金を加工することにより形成されている。本実施形態では、防音部材３０は略円筒状に形成されている。具体的には、防音部材３０は、円筒状の胴部と、この胴部の上端を塞ぐ円盤状の上壁と、胴部の下端を塞ぐ円盤状の底壁と、胴部に接続された扉とを有する。ただし、この防音部材３０の外形は、略円筒状に限られない。
【００２８】
防音部材３０は、吸入管２１を当該防音部材３０の内側から外側に向けて導出するための吸入管導出孔３０ａと、吐出管２２を当該防音部材３０の内側から外側に向けて導出するための吐出管導出孔３０ａとを有する。本実施形態では、各導出孔３０ａ，３０ａのうち、吸入管２１を導出するための吸入管導出孔３０ａが、当該防音部材３０の外側から吸入管のろう付部２１ａを検査するための検査孔（吸入管検査孔）３０ｂを兼ねている。吸入管検査孔３０ｂは、前記上壁に形成されている。この吸入管検査孔３０ｂは、吸入管２１よりも一回り大きな内径を有する形状の孔である。吸入管のろう付部２１ａの検査では、当該ろう付部２１ａからのエア漏れがあるかどうかの検査が行われる。この検査は、図２に示すように、エア漏れの検知が可能な直線状の検査治具（検査プローブ）４０を用いて行われる。具体的には、この検査は、吸入管２１の外周面と吸入管検査孔３０ｂの内周面との間から吸入管のろう付部２１ａに向かって検査治具４０の先端（検査部）が挿入され、当該検査部がろう付部２１ａに近接されることによって行われる。前記吸入管検査孔３０ｂは、検査治具４０が当該検査孔３０ｂから検査対象のろう付部２１ａへ直線状に到達可能となる部位に形成されている。本実施形態では、この吸入管検査孔３０ｂは、吸入管のろう付部２１ａの真上に形成されている。すなわち、吸入管検査孔３０ｂから吸入管のろう付部２１ａへは直線的にアクセスが可能となっている。
【００２９】
防音部材３０は、図２に示すように、第一部材３１〜第七部材３７により構成されている。具体的に、前記上壁は、互いに分割可能な第一部材３１及び第二部材３２により形成されている。第一部材３１は、半円状であり、第二部材３２は、第一部材３１とともに円盤を形成することが可能な半円状である。前記吸入管検査孔３０ｂは、これら第一部材３１と第二部材３２との境界に形成されている。
【００３０】
前記胴部は、互いに分割可能な第三部材３３及び第四部材３４により形成されている。第三部材３３は、上下方向に長い半円筒状であり、第四部材３４は、第三部材３３とともに円筒を形成することが可能な半円筒状である。前記第一部材３１及び第二部材３２は、これら第三部材３３及び第四部材３４の上に取り付けられることにより、前記胴部の上端を塞ぐ。第四部材３４は、その上下方向及び周方向の略中央に当該防音部材３０の内外を連通する穴を有する。
【００３１】
前記扉は、互いに分割可能な第五部材３５及び第六部材３６により形成されている。この第五部材３５及び第六部材３６は、一方向に開口し、かつ、第四部材３４の穴を覆う大きさの略箱型を呈する。第五部材３５及び第六部材３６は、前記開口が第四部材３４に面するように、すなわち、第四部材３４の穴を塞ぐように当該第四部材３４に取り付けられる。第五部材３５は、第四部材３４の穴の周囲のうち当該第四部材３４の周方向の一端側（図２の左側）に接続されている。第六部材３６は、第四部材３４の穴の周囲のうち当該第四部材３４の周方向の他端側（図２の右側）に接続されている。第五部材３５と第六部材３６とは、ヒンジを介して接続されている。そして、第六部材３６は、第五部材３５と接続されている側の端部を回転軸として、当該第五部材３５と接続されている側の端部とは反対側の端部が第四部材３４に接続される第一姿勢と、第四部材３４から離れることにより当該第四部材３４の穴が露出する第二姿勢との間で回動する。本実施形態では、この第六部材３６を前記第二姿勢とした状態で、前記穴を通じて前記検査治具４０により吐出管２２のろう付部２２ａからのエア漏れの検査が行われる。すなわち、第四部材３４の穴が、「吐出管検査孔」を構成する。なお、本実施形態では、第五部材３５と第六部材３６との境界（前記ヒンジの近傍）に吐出管２２を導出するための吐出管導出孔３０ａが形成されており、吐出管２２は、この吐出管導出孔３０ａを通って当該防音材３０の外部に導出されている。
【００３２】
前記底壁は、第七部材３７により形成されている。この第七部材３７は、前記胴部を形成する第三部材３３及び第四部材３４の下端に接続されることにより、前記胴部の下端を塞ぐ。第七部材３７は、底板フレーム１０に固定されている。
【００３３】
以上説明したように、本実施形態の室外機は、当該室外機のケーシングを組付ける直前、すなわち、圧縮機１２の周囲に防音部材３０が取り付けられた後に、圧縮機１２の駆動状態や、各ろう付部２１ａ，２２ａのろう付状態等の検査を行う最終検査を実施することができる。具体的には、防音部材３０は、当該防音部材３０の外側から吸入管のろう付部２１ａを検査可能な吸入管検査孔３０ｂを有するので、この吸入管のろう付部２１ａを検査するに当たり、従来のように防音部材の一部を取り外すという工程を省くことができる。そのため、吸入管のろう付部２１ａの検査効率が向上する。また、第六部材３６が前記第一姿勢と前記第二姿勢との間で回動可能であることから、吐出管のろう付部２２ａの検査する際も防音部材の一部を取り外す必要がない。
【００３４】
また、本実施形態の防音部材３０では、吸入管２１を導出するための吸入管導出孔３０ａが吸入管検査孔３０ｂを兼ねているので、吸入管２１を防音部材３０の内側から外側に導出するために必須となる導出孔３０ａに加えて別途検査孔３０ｂを形成する必要がなくなる。そのため、防音部材３０の製造が容易になるとともに、吸入管検査孔３０ｂからの圧縮機１２の運転音の漏れを低減させることができる。
【００３５】
また、本実施形態の防音部材３０は、分割可能な第一部材３１と第二部材３２とを有し、これら第一部材３１と第二部材３２との境界に吸入管検査孔３０ｂが形成されているので、圧縮機１２の周囲に防音部材３０を組付ける際、第一部材３１と第二部材３２とにより吸入管２１を挟み込むだけでよい。したがって、防音部材３０の組付けの際、吸入管２１のうち圧縮機１２の吸入ポートと接続されている側とは反対側の端部を防音部材３０の内側から吸入管検査孔３０ｂ（導出孔３０ａ）を通して当該防音部材３０の外側に導出するといった作業を省略することができる。
【００３６】
また、本実施形態では、吸入管検査孔３０ｂは、検査治具４０が当該検査孔３０ｂから吸入管のろう付部２１ａへ直線状に到達可能となる部位に形成されているので、取り扱いが容易な直線形状の検査治具４０を用いることができ、さらに、この検査治具４０を吸入管検査孔３０ｂから挿入するだけで吸入管のろう付部２１ａの検査を行うことができる。よって、ろう付部２１ａの検査効率が向上する。
【００３７】
（第二実施形態）
図３は、本発明の第二実施形態の室外機を示している。なお、この第二実施形態では、第一実施形態と異なる部分についてのみ説明を行い、第一実施形態と同じ構造、作用及び効果の説明は省略する。この第二実施形態の室外機における第一実施形態のそれとの異なる点は、防音部材３０の形状である。
【００３８】
本実施形態の防音部材３０は、二台の圧縮機１２を一括して取り囲む略直方体形状を呈する。この防音部材３０は、四角筒状の胴部と、この胴部の上部を塞ぐ形状の上壁と、胴部の下部を塞ぐ形状の底壁とを有する。
【００３９】
上壁は、吸入管２１を当該防音部材３０の外部に導出する導出孔３０ａを有する。なお、この導出孔３０ａは、第一実施形態と同様に、吸入管検査孔３０ｂを兼ねている。胴部は、そのいずれかの側壁に吐出管のろう付部２２ａを検査するための吐出管検査孔３０ｂを有する。各検査孔３０ｂから検査対象のろう付部へは直線的にアクセスが可能となっている。本実施形態の上壁は、第一実施形態の上壁とは異なり、分割可能な複数部材からなるものではない。また、本実施形態の防音部材３０は、第一実施形態のような扉を有していない。
【００４０】
なお、今回開示された各実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
例えば、上記実施形態では、圧縮機１２に吸入管２１及び吐出管２２が接続された例について示したが、これらに加え、圧縮機１２には、当該圧縮機１２の圧縮機構における吸入部と吐出部との間に冷媒を流入させるためのインジェクション管（図示せず）が接続されてもよい。この場合、防音部材３０には、インジェクション管のろう付部を検査するためのインジェクション管検査孔が設けられる。このインジェクション管検査孔は、検査治具４０が当該インジェクション管検査孔からインジェクション管のろう付部へ直線状に到達可能となる部位に形成される。
【００４２】
また、上記実施形態では、防音部材３０の上壁が吸入管検査孔３０ｂを有し、胴部が吐出管検査孔を有する例が示されているが、各検査孔は、防音部材３０のいずれの部位に形成されていもよい。例えば、吸入管検査孔及び吐出管検査孔がともに防音部材３０の胴部に形成されてもよい。
【００４３】
また、上記実施形態では、圧縮機１２が二台である例を示したが、圧縮機１２は一台であってもよい。
【００４４】
また、第一実施形態では、第六部材３６を第二姿勢とすることにより吐出管のろう付部２２ａの検査が行われる、すなわち、第四部材３４の穴が吐出管検査孔を構成する例が示されているが、防音部材３０の扉が省略され、防音部材３０の胴部に吸入管検査孔３０ｂと同様の吐出管検査孔が形成されてもよい。
【符号の説明】
【００４５】
１０    底板フレーム
１２    圧縮機
１３    アキュームレータ
１６    四路切替弁
２０    冷媒配管
２１    吐出管
２１ａ  吐出管のろう付部
２２    吸入管
２２ａ  吸入管のろう付部
３０    防音部材
３０ａ  導出孔
３０ｂ  検査孔
３１    第一部材
３２    第二部材
４０    検査治具
【図１】
2014077595.tif 000003
【図２】
2014077595.tif 000004
【図３】
2014077595.tif 000005